(57)【要約】【課題】クラウド型警備認証システムを提供することを課題とする。【解決手段】クラウド型警備認証システムであって、識別データを保存するための管理センターと、該管理センターに接続し、基本警備機能を実行するためのセキュリティコントローラと、セキュリティコントローラに接続し、異常事態を検出するために用いられ、異常事態を検出した時、セキュリティコントローラが異常事態を管理センターにフィードバックし、また、管理センターから識別データをダウンロードするセンサーと、セキュリティコントローラに接続し、警備情報を読み取るために用いられ、警備情報とダウンロードした識別データが一致した時、セキュリティコントローラを巡回モードに設定する認証モジュールと、を含む。【選択図】図１
2016045925.tif 000002
【特許請求の範囲】
【請求項１】
識別データを保存するための管理センターと、
前記管理センターに接続し、基本警備機能を実行するためのセキュリティコントローラと、
前記セキュリティコントローラに接続し、異常事態を検出するために用いられ、前記異常事態を検出した時、前記セキュリティコントローラが前記異常事態を前記管理センターにフィードバックし、また、前記管理センターから前記識別データをダウンロードするセンサーと、
前記セキュリティコントローラに接続し、警備情報を読み取るために用いられ、前記警備情報とダウンロードした前記識別データが一致した時、前記セキュリティコントローラを巡回モードに設定する認証モジュールと、を含むことを特徴とする、
クラウド型警備認証システム
【請求項２】
前記セキュリティコントローラに接続する電気錠を更に含み、前記警備情報と前記識別データが一致した時、前記電気錠が解錠動作を行うことを特徴とする請求項１に記載のクラウド型警備認証システム。
【請求項３】
前記管理センターは、ログイン用、及び、出勤状況を記録するための勤怠管理システムを更に含むことを特徴とする請求項１に記載のクラウド型警備認証システム。
【請求項４】
前記セキュリティコントローラで前記管理センターに前記識別データでログインした際、前記出勤状況がログイン済みであることを特徴とする請求項３に記載のクラウド型警備認証システム。
【請求項５】
前記識別データには、従業員のカード番号、又は、生体識別情報を更に含むことを特徴とする請求項１に記載のクラウド型警備認証システム。
【請求項６】
前記警備情報には、従業員のカード番号、又は、生体識別情報を更に含むことを特徴とする請求項１に記載のクラウド型警備認証システム。
【請求項７】
前記セキュリティコントローラは、タイマーモジュールを更に含み、前記セキュリティコントローラが前記管理センターから前記識別データをダウンロードした後、第１特定時間の終了後も前記認証モジュールが前記警備情報を読み取らなかった場合、前記セキュリティコントローラはダウンロードした前記識別データを削除することを特徴とする請求項１に記載のクラウド型警備認証システム。
【請求項８】
前記第１特定時間内に、前記認証モジュールがユーザ情報を既読済みにした場合、前記セキュリティコントローラがダウンロードした前記識別データを削除することを特徴とする請求項７に記載のクラウド型警備認証システム。
【請求項９】
前記第１特定時間内において、前記認証モジュールが前記警備情報を読み取り、且つ、前記警備情報とダウンロードした前記識別データが一致した時、前記タイマーモジュールが第２特定時間のカウントダウンを開始することを特徴とする請求項７に記載のクラウド型警備認証システム。
【請求項１０】
前記セキュリティコントローラが前記第２特定時間の終了後、ダウンロードした前記識別データを削除することを特徴とする請求項９に記載のクラウド型警備認証システム。
【請求項１１】
前記第２特定時間内において、前記認証モジュールが前記警備情報を再度読み取った場合、前記セキュリティコントローラがダウンロードした前記識別データを削除し、且つ、警戒状態を起動することを特徴とする請求項９に記載のクラウド型警備認証システム。
【発明の詳細な説明】
【技術分野】
【０００１】
本発明は、警備システムに関し、特に、クラウド型警備認証システムに関する。
【背景技術】
【０００２】
世間における複数のコミュニティやオフィスビル及び営業所の大半では、内部の人及び財産の安全を保障するため、警備システム及び警備員を設置し、警備システムの検出及び警備員の監視をもって、コミュニティやオフィスビル或いは営業所の安全を保障し、泥棒或いは強盜などの侵入という不法な事態の発生を避けている。
【０００３】
一般的なインターネット接続型警備サービスの作業において、管理センターがセキュリティコントローラから送られた異常信号を受信した時、管理担当者はまず顧客の付近にいる警備員を現場に派遣して処理させる。警備員が顧客の現場に到着して処理する時、まず警備システムに巡回カードを通し巡回主状態にしてから防護エリアに立ち入って処理することで、防犯ブザーをトリガすることがない。しかしながら膨大な顧客群について、カード番号の重複を避ける安全性を考慮するため、通常異なるシステムコードのカード番号で異なる顧客を区別してカードの管理の便宜を図っている。
【０００４】
巡回カードの管理は、通常各顧客の巡回カード及び鍵（鍵を預けている顧客）を分類して勤務エリアの勤務車両のトランク内に保管している。また、更に予備を勤務場所の幹部事務室に預けるため、毎日カードのチェックや管理に非常に時間がかかり、且つ多くの巡回カード及び鍵をトランクに保管しているが、それらは非常に重いものである。
【発明の概要】
【発明が解決しようとする課題】
【０００５】
よって、如何にして従来の巡回カードモードで、より一層効果的及び時間の節約や便利な管理を得るかが、本発明の発明者及び当業者として、更に改良しようとする課題となっていた。
【課題を解決するための手段】
【０００６】
これに鑑み、本発明は識別データを保存するための管理センターと、該管理センターに接続し、基本警備機能を実行するためのセキュリティコントローラと、セキュリティコントローラに接続し、異常事態を検出するために用いられ、異常事態を検出した時、セキュリティコントローラが異常事態を管理センターにフィードバックし、また管理センターから識別データをダウンロードするセンサーと、セキュリティコントローラに接続し、警備情報を読み取るために用いられ、警備情報とダウンロードした識別データが一致した時、セキュリティコントローラを巡回モードに設定する認証モジュールと、を含むクラウド型警備認証システムを提供することにある。
【０００７】
本発明は、セキュリティコントローラに接続する電気錠を更に含み、警備情報と識別データが一致した時、電気錠が解錠動作を行うことにある。
【０００８】
これ以外に、管理センターは、ログイン用及び出勤状況を記録するための勤怠管理システムを更に含む。セキュリティコントローラで管理センターに識別データでログインした場合、出勤状況としてログイン済みと示される。更に、前記識別データ或いは警備情報には従業員のカード番号又は生体識別情報を更に含む。
【０００９】
次に、セキュリティコントローラは、タイマーモジュールを更に含む。該セキュリティコントローラが該管理センターから該識別データをダウンロードした後、第１特定時間の終了後も該認証モジュールが該警備情報を読み取らなかった場合、該セキュリティコントローラはダウンロードした該識別データを削除する。該第１特定時間内に、該認証モジュールがユーザ情報を既読済みにした場合、該セキュリティコントローラがダウンロードした該識別データを削除する。
【００１０】
また、該第１特定時間内において、該認証モジュールが該警備情報を読み取り、且つ該警備情報とダウンロードした該識別データが一致した時、該タイマーモジュールが第２特定時間のカウントダウンを開始する。該セキュリティコントローラが該第２特定時間の終了後、ダウンロードした該識別データを削除する。
【００１１】
該第２特定時間内において、該認証モジュールが該警備情報を再度読み取った場合、該セキュリティコントローラがダウンロードした該識別データを削除し、且つ警戒状態を起動する。
【００１２】
以下に、実施形態において本発明の詳細な特徴及び利点を詳述する。その内容は当業者に本発明の技術内容を十分理解させると共にこれをもって実施させることができる。また、本明細書で開示される内容、特許請求の範囲及び図面に基づいて、当業者も簡単に本発明に係る目的及び利点を理解できる。
【図面の簡単な説明】
【００１３】
【図１】本発明のクラウド型警備認証システムを示す模式図である。
【図２】本発明の管理センターを示す模式図である。
【図３】本発明に係るクラウド型警備認証システムの別の実施例を示す模式図である。
【図４】本発明のセキュリティコントローラを示す模式図である。
【発明を実施するための形態】
【００１４】
図１を参照する。図１は、本発明のクラウド型警備認証システムを示す模式図である。本発明のクラウド型警備認証システムは、管理センター１０とセキュリティコントローラ２０とセンサー３０と認証モジュール４０と、を含む。
【００１５】
図２を参照する。図２は、本発明の管理センターを示す模式図である。管理センター１０は、好ましくは遠隔地に位置する中央制御コンピュータ本体で、各地から返されたデータ、例えば、異常事態の発信を受信するために用いる。本発明において、管理センター１０が識別データ１１を保存し、識別データ１１は警備保障会社の従業員カード番号、或いは例えば、従業員の個人虹彩認証データ、指紋認証データ、顔認証データ又は指静脈認証データといった従業員の個人生体識別情報が好ましい。
【００１６】
これに基づき、管理センター１０は、勤怠管理システム１２を更に備え、従業員が個人の警備情報でログインするとともに出勤状況を記録する。警備情報は警備保障会社の従業員カード番号、或いは従業員の個人虹彩認証データ、指紋認証データ、顔認証データ又は指静脈認証データといった従業員の個人生体識別情報が好ましい。従業員が警備情報を提示して勤怠管理システム１２にログインした時、管理センター１０はログインした従業員の警備情報と保存されている識別データ１１をチェックし、データが一致した場合、この従業員の識別データ１１をログイン済みと設定する。
【００１７】
図１を更に参照しながら説明する。セキュリティコントローラ２０は管理センター１０に接続し、基本の警備機能の実行に用いられ、例えばＲＳ４８５、ＲＳ２３２、ＵＳＢ、イーサネット(登録商標)等の有線通信方式、若しくは無線通信モード、例えばＲＦ、無線ネットワーク、ＺｉｇＢｅｅ(登録商標)、Ｚｗａｖｅ、ブルートゥース(登録商標)、近距離無線通信（ＮＦＣ）又はその他の無線通信プロトコルを通じて管理センター１０に接続することが好ましい。ただし、本発明はこれに限るものではない。
【００１８】
センサー３０は、セキュリティコントローラ２０に接続し、異常事態を検出するために用いる。センサー３０は煙感知器、火災検知器、窓振動検知器、一酸化炭素検知器、二酸化炭素検知器、赤外線検知器、画像監視装置、異物検出器、防犯カメラ、窓の開き監視装置等とすることが好ましい。ただし、本発明はこれに限るものではない。
センサー３０が異常事態を検出した時、セキュリティコントローラ２０がこの異常事態を管理センター１０へフィードバックし、同時に、セキュリティコントローラ２０が管理センター１０から従業員の識別データ１１をダウンロードする。本発明において、ダウンロードされる従業員の識別データ１１は勤怠管理システム１２のログイン済みと設定した識別データ１１が好ましい。且つ管理センター１０が異常事態の場所に比較的近い従業員の識別データ１１を提供してセキュリティコントローラ２０にダウンロードし、同時に管理センター１０が当該従業員を異常事態の場所に派遣させる。
【００１９】
認証モジュール４０は、セキュリティコントローラ２０に接続し、警備情報を読み取るために用いる。認証モジュール４０は、好ましくはカードリーダ又は生体認証機器とすることができるが、本発明はこれに限るものではない。管理センター１０が派遣した警備員は異常事態の場所に到着した後、警備員が個人の警備情報（内容は、先に述べた通り）を提示することができ、警備情報とセキュリティコントローラ２０がダウンロードした識別データ１１が一致した場合、セキュリティコントローラ２０を巡回モードに設定する。
巡回モードは警備員が各利用者を巡回して設備を検査する時、使用できる特殊状態である。巡回状態において、警備員が誤ってアラームに触ることを避けるため、センサー３０が同様に無効化され、巡回状態に入ると、管理センター１０に警備員がクライアント側にいることを知らせ、警備員自身による盜みを避ける。
【００２０】
図３を参照する。図３は、本発明に係るクラウド型警備認証システムの別の実施例を示す模式図である。本実施例において、クラウド型警備認証システムはセキュリティコントローラ２０に接続する電気錠５０を更に含み、警備情報と識別データ１１が一致した時、電気錠５０が解錠動作を行い、警備員に異常事態の場所に立ち入らせて詳細な発生状況を検査させることができる。
【００２１】
図４を参照する。図４は、本発明のセキュリティコントローラを示す模式図である。セキュリティコントローラ２０は、タイマーモジュール２１を更に備え、タイマーモジュール２１は好ましくはタイマーで、異常事態が発生した場合、セキュリティコントローラ２０が管理センター１０から識別データ１１をダウンロードした後、タイマーモジュール２１が第１特定時間のカウントダウンを開始する。例えば、この第１特定時間を３０分間と設定し、３０分間が経過した後、認証モジュール４０が警備員の警備情報を読み取らない場合、セキュリティコントローラ２０がダウンロードした識別データ１１を削除する。３０分間後警備員が到着し、警備情報を提示したとしても、警備員はやはり異常事態の発生場所にスムーズに立ち入ることができない。
【００２２】
顧客が警備員より先に異常事態の発生場所に到着し、認証モジュール４０が顧客のユーザ情報を読み取った場合、セキュリティコントローラ２０がダウンロードした識別データ１１を削除する。第１特定時間内に警備員が到着すると共に警備情報を提示しても、警備員はやはり異常事態の発生場所にスムーズに立ち入ることができない。先に述べたユーザ情報は、ユーザの個人カード、パスワード或いは個人生体情報とすることができる。ただし、本発明はこれに限るものではない。
【００２３】
次に、警備員が第１特定時間内に異常事態の発生場所に到着し、且つ提示した警備情報とセキュリティコントローラ２０がダウンロードした識別データ１１が一致した時、タイマーモジュール２１が第２特定時間のカウントダウンを開始する。この第２特定時間のカウントダウンとは、警備員の異常事態の発生場所における状況を排除するための処理時間を指す。例えば、第２特定時間が１時間であれば、警備員に１時間の異常事態を排除する時間がある。第２特定時間のカウントダウンが終了した後、セキュリティコントローラ２０がダウンロードした識別データ１１を削除し、警備員は異常事態の発生場所に再度立ち入ることができない。
【００２４】
第２特定時間内において、警備員が異常事態状況を排除した場合、警備員が警備情報を提示し、認証モジュール４０が第２特定時間内に警備情報を読み取った時、異常が排除済みであることを示し、セキュリティコントローラ２０がダウンロードした識別データ１１を削除し、また同時に警戒状態を起動して、警備機能を回復すると共に実行する。
【００２５】
本発明は、管理センターの識別データを通じて、顧客側の認証モジュールに合わせ警備情報を読み取り、警備員の警備情報で従来の巡回カードを代替とし、巡回カードのチェック、管理の不便及び手間がかかる問題を解決する。
【００２６】
上述の説明は、単に本発明の最良の実施例を挙げたまでであり、本発明を限定しない。その他本発明の開示する要旨を逸脱することなく完成された同等効果の修飾または置換はいずれも後述の特許請求の範囲に含まれる。
【符号の説明】
【００２７】
１０  管理センター
１１  識別データ
１２  勤怠管理システム
２０  セキュリティコントローラ
２１  タイマーモジュール
３０  センサー
４０  認証モジュール
５０  電気錠
【図１】
2016045925.tif 000003
【図２】
2016045925.tif 000004
【図３】
2016045925.tif 000005
【図４】
2016045925.tif 000006